(57)【要約】      （修正有）【解決手段】水道水や井戸水等の配管の途中に常にその内部が流水で満たされている実施例に示す日陰室内等への太陽光線を導入するシステムは、受光面１より受け入れた太陽光線を主・副の曲面反射部３・９や光線集合レンズ６等の光線集合作用で集合に集合を重ねた太陽光線を日陰室内等に導入するもので、しかもシステム内の流水は太陽光線の導入の役目とは別に、随時家庭用水として使用できるようにしたものである。【効果】従来からのものゝ日陰室内から太陽光線の照射される屋根面や外壁面までの天井部分を貫通する吹き抜け部を設ける必要がないので、夏季・冬季の冷・暖房効果も高く、また個人のプライバシーを侵害される恐れも全くなく、しかも太陽光線の照射を受ける受光面２が透明な半円周を呈しているので日の出から日の入りまでの太陽光線の照射を有効に導入できる。【選択図】  図１
2004228055.tif 000002
【特許請求の範囲】
【請求項１】
水道水や井戸水等の配管の途中に本発明システムを設け、太陽光線の照射をシステム本体のガラスやプラスチック等よりなる円筒形部（１）の太陽に向い前面側の透明な半円周の受光面（２）より受け入れ、その光線を後面側の半円周の内周面に滑らかな反射材被覆が施されている主曲面反射部（３）と、円筒形部（１）にかぶさる半球形の内周面に同じく滑らかな反射材被覆が施されている副曲面反射部（９）との反射作用によつて照射された太陽光線の反射光線を円筒形部（１）の内部を満たす流水の中心線付近に集合させるようにしたシステム。
【請求項２】
請求項１記載の円筒形部（１）内の流水の中心線付近に集合させた太陽光線の反射光線と、更に同流水の中心線付近に集合させ残した太陽光線の照射光線とを円筒形部（１）の下方に連結する漏斗部（４）上面の光線集合レンズ（６）の光線集合作用によつて、それらの太陽光線を漏斗部（４）内の流水中の光線集合レンズ（６）の焦点付近に再集合させるようにしたシステム。
【請求項３】
請求項２記載の漏斗部（４）内の流水中の光線集合レンズ（６）の焦点付近に再集合させた太陽光線が、漏斗部（４）下端部の出水口（５）に連結する全内周面に滑らかな反射材被覆が施されている光線誘導管（１０）内の流水中を複雑に反射を繰り返えして、光線誘導管（１０）の最終端部に連結する光線拡散レンズ（１１）を除く内周面が同じく滑らかな反射材被覆が施されている用途変換部（１２）内に到達するようにしたシステム。
【請求項４】
請求項３記載の光線誘導管（１０）の最終端部に連結する用途変換部（１２）の流水内に到達した太陽光線を光線拡散レンズ（１１）により拡散させて日陰室内等に導入し、システム内を満たす流水は太陽光線の導入の役目とは別に、用途変換部（１２）に連結する家庭内水配管（１３）より随時家庭用水として供給されるようにした水道水や井戸水等の配管の流水を使用して太陽光線を日陰室内等に導入するシステム。
【発明の詳細な説明】
【０００１】
【発明の属する技術分野】
本発明は、水道水や井戸水等の配管の流水を使用して太陽光線を日陰室内等に導入するシステムに関するものである。
【０００２】
【従来の技術】
従来からの日陰室内等への太陽光線の導入は、建造物の日陰室内から太陽光線の照射される屋根面や外壁面までの天井部分を貫通する吹き抜け部を設け、雨雪の浸入防止策を施して直接か或は反射鏡等を使用して太陽光線を導入するものであつた。
【０００３】
【発明が解決しようとする課題】
しかし従来からの建造物の天井部分を貫通する吹き抜け部分を設けての太陽光線の導入は、夏季・冬季の冷・暖房効果を著しく減退させる欠点があり、また個人のプライバシーが侵害されやすい等の欠点があつた。
【０００４】
そこで本発明は、くらやみの中で配管の蛇口から静かに空間中を自然に流れ落ちている水道水や井戸水等の流水の中間の一部に交叉するよう光線を照射すると、照射部分以外の流水が殆ど暗黒状態で流れ落ちているにもかゝわらず、下方の流水が流れ落ちている位置の受皿物体の表面を明るく照らし出している現象を応用して建造物の日陰室内等への太陽光線の導入を図り、従来からのものゝ諸欠点を除去しようとするものである。
【０００５】
【課題を解決するための手段】
上記の現象の受皿物体の表面を明るく照らし出しているのは、比較的に純度の保たれている水道水や井戸水等の流水の中間の一部に交叉するよう照射された光線が、配管の蛇口からほヾ円形断面で重力の加速度により次第にその円形断面を縮小しながら静かに空間中を自然に流れ落ちている流水の滑らかな外周表面の内周側の反射面で、特に照射光線の方から見て後面側半円周の内周面の反射作用によつて照射された光線がその照射部分の流水の中心線付近に集合され、集合された反射光線が更に上下方向の暗黒状態で流れ落ちている流水内に進み、今後は流水の滑らかな外周表面の全内周面の反射面内を複雑に反射を繰り返えしながら下方の流水の流れ落ちている受皿位置まで到達し、その受皿物体表面を明るく照らし出しているものであり、当然上方の蛇口内部の奥にも明るく照らし出されている所がある筈である。そしてこれらの上下方向への反射光線の到達速度は光の速度で行われるもので、流水の落下速度や流水の流れ方向等には殆ど影響されないものである。
【０００６】
本発明は、この配管の蛇口から静かに空間中を自然に流れ落ちている流水の一部が受けた照射光線の伝達を人為的な構成で建造物の日陰室内等への太陽光線の導入を図るようにしたものである。
【０００７】
発明の実施の形態
発明の実施の形態を実施例にもとずき図面を参照して説明すると、図１は本発明の水道水や井戸水等の配管の流水を使用して太陽光線を日陰室内等に導入するシステムの本体の断面図であり、図２はそれに連結して太陽光線を日陰室内等に誘導する光線誘導管の断面図である。
【０００８】
図１の示す如き本発明システムの本体は、透明なガラス或はプラスチック等よりなる上方の円筒形部１と下方の逆円錐形部分とが一体として形成され、充分に流水圧力に耐えうるものである。上方の円筒形部１の太陽に向うよう設置された前面側の半円周の受光面２は透明なまゝに、そして後面側の半円周はその内周面に高反射率の滑らかな反射材被覆が施されて主曲面反射部３を形成している。
【０００９】
また下方の逆円錐形部分の漏斗部４は下端部に出水口５を有し、漏斗部４の内周面及び出水口５の内周面も共に高反射率の滑らかな反射材被覆が施され、また漏斗部４の上面には流水を通過させるためのレンズ孔６′を有する光線集合レンズ６が装着されている。
【００１０】
また円周形部１の上部には、半球形の頂部に外部よりの水道水や井戸水等の供給を受ける給水口７を有する椀蓋部８が円筒形部１に周囲をコーキング処理等して流水圧力に耐えうるよう覆いかぶさり、その半球形の内周面も高反射率の滑らかな反射材被覆が施されて副曲面反射部９を形成している。
【００１１】
また図２に示すガラス或はプラスチック等よりなる光線誘導管１０は、上部が漏斗部４下端部の出水口５と同一内径で同じくコーキング処理等して流水圧力に耐えうるよう出水口５に連結し、また光線誘導管１０の最終端部には同管内部を水道水や井戸水等の流水が誘導してきた太陽光線を日陰室内等に拡散させて導入するためのガラスよりなる光線拡散レンズ１１と、その上部で光線誘導の役目を果し家庭用水としての役目に流水の用途を変換させるための周囲に流水通路用のふくらみを有する用途変換部１２とを連結し、家庭内で使用する家庭用水は用途変換部１２に連結する家庭用水配管１３より供給される。なお、光線誘導管１０の全内周面及び光線拡散レンズ１１を除く用途変換部１２の全内周面も当然高反射率で滑らかな反射材被覆が施されている。また図１図２の於て点線斜線が引かれている部分は、高反射率で滑らかな反射材被覆が施されている部分を示したもので断面を表わすものでないことを特記しておく。
【００１２】
【発明の効果】
このように構成された本発明システムの内部は、常に水道水や井戸水等の流水で満たされているものであり、家庭用水配管１３よりの家庭用水の使用水量に等しい新規の供給水量がまた常に給水口７より供給されているものである。
【００１３】
また本発明システムの内部を満たす水道水や井戸水等の流水の流れとは別に、太陽に向い設置されている図１に示す円筒形部１の前面側の透明な半円周の受光面２より同筒内に照射される太陽光線は、同筒内部の流水の屈折作用や同筒の後面側半円周の内周面に設けた高反射率の滑らかな反射材被覆が施されている主曲面反射部３の反射作用によつて、同筒内部の流水の中心線付近に集合し、その中心線付近に集合した反射光線が今度は図１図面の上下方向に向い進む。
【００１４】
図１図面の上下方向に向い進む反射光線のうち、上方に向い進む反射光線は、上部の椀蓋部８の内周面に同じく施されている高反射率の滑らかな反射材被覆の副曲面反射部９の反射作用によつて円筒形部１内の流水の中心線付近に再反射され、下方に向い進む反射光線を更に増強する役目を果す。
【００１５】
増強されて円筒形部１内の流水の中心線付近を下方に向い進む反射光線と、同流水の中心線付近に集合し残した照射光線とを、次に漏斗部４の上面に装着されているガラスよりなる中心部に流水通過用のレンズ孔６′を有する光線集合レンズ６の光線集合作用によつて、それらの照射・反射の太陽光線を漏斗部４内の流水中の同レンズ６の焦点付近に再集合させて再集合度を高める。
【００１６】
漏斗部４内の流水中の光線集合レンズ６の焦点付近に再集合させて集合度を高めた太陽光線は、漏斗部４下端部の出水口５と同一内径を有して連結する全内周面に高反射率で滑らかな反射材被覆が施されている光線誘導管１０内に進み、上記の本発明の根拠となる現象（段落番号０００４・０００５）で述べた如く、光線誘導管１０内の流水中を複雑に返射を繰り返えした太陽光線は、同管の最終端部に連結する光線拡散レンズ１１以外の内周面が同じく高反射率の滑らかな反射材被覆が施され周囲に流水通路用のふくらみを有する用途変換部１２内の流水中に到達する。こゝで出水口５の入口位置と、光線集合レンズ６の焦点位置とが一致していることが望ましい。
【００１７】
このようにしてシステム本体の受光面２が太陽光線の照射を受けてより、システム内の流水中を集合に集合を重ね光の速度で刻々と用途変換部１２内に到達する太陽光線は、そのまゝでは光線の輝度が激しく日陰室内等の天井や壁面等に設けた半透明のガラス板やプラスチック板等を介し、その向う側から光線拡散レンズ１１よりの拡散光線を導入すれば、日陰室内等でもやわらかな太陽光線の感覚を満喫することができる。そしてシステム内の流水は、以上の太陽光線の誘導の役目とは別に、随時家庭用水としての必要に応じて用途変換部１２に連結する家庭用水配管１３より供給されるものである。
【００１８】
また本発明システムは、従来からのものゝ日陰室内から太陽光線の照射される屋根面や外壁面までの天井部分を貫通する吹き抜け部を設ける必要がないので、夏季・冬季の冷・暖房効果も高く、また個人のプライバシーを侵害される恐れも全くなく、しかも太陽光線の照射を受ける受光面２が透明な半円周を呈しているので日の出から日の入りまでの太陽光線の照射を有効に導入できる効果がある。
【００１９】
また本発明システムは、システム本体の複数本を屋上や外壁面等に併列させて設け、夫々の光線誘導管の流水内を送られてくる太陽光線を一本の基幹光線誘導管内に集合させて導入することができる効果もある。
【００２０】
また本発明システムは、建造物の形状・構造等に応じてシステムの本体を傾け設置しようと、また極端に本体上下を逆に設置しようとシステム性能に変化を生じない効果もある。
【００２１】
また本発明システムは、高層住宅や高層ホテル等の各階ごとの太陽光線の照射される外壁面ごとに本発明システム本体を設置して、各階ごとの日陰室内や日陰各室等への太陽光線の導入を可能にする効果もある。
【００２２】
また本発明システムは、従来からの住宅の屋根面上等に設置されている平面的で太陽光線の熱線の蓄積を重視した太陽光温水器等とは異なり、システム本体の受光面より受け入れた太光線を刻々光の速度で光線誘導管を介し日陰室内等に送致・放出するもので、システム内の流水の温度上昇が極力抑制されているのも特徴とするところである。
【図面の簡単な説明】
【図１】本発明の水道水や井戸水等の配管の流水を使用して日陰室内等に太陽光線を導入するシステムの実施例の太陽に向うよう設置したシステム本体の側面断面図である。
【図２】上記の実施例のシステム本体に連結する光線誘導管の側面断面図である。
【符号の説明】
１  円筒形部
２  受光面
３  主曲面反射部
４  漏斗部
５  出水口
６  光線集合レンズ
６′  レンズ孔
７  給水口
８  椀蓋部
９  副曲面反射部
１０  光線誘導管
１１  光線拡散レンズ
１２  用途変換部
１３  家庭用水配管
【図１】
2004228055.tif 000003
【図２】
2004228055.tif 000004
【手続補正書】
【提出日】平成15年3月19日(2003.3.19)
【手続補正１】
【補正対象書類名】明細書
【補正対象項目名】請求項１
【補正方法】変更
【補正の内容】
【請求項１】
水道水や井戸水等の配管の途中に本発明システムを設け、太陽光線の照射をシステム本体のガラスやプラスチック等よりなる円筒形部（１）の太陽に向い前面側の透明な半円周の受光面（２）より受け入れ、その光線を後面側の半円周に設けた内周面に滑らかな反射材被覆が施されている主曲面反射部（３）と、円筒形部（１）にかぶさる椀蓋部（８）の半球形の内周面に設けた同じく滑らかな反射材被覆が施されている副曲面反射部（９）との反射作用によって照射された太陽光線の反射光線を円筒形部（１）の内部を満たす流水の中心線付近に集合させるようにしたシステム。
【手続補正２】
【補正対象書類名】明細書
【補正対象項目名】０００７
【補正方法】変更
【補正の内容】
【０００７】
【発明の実施の形態】
発明の実施の形態を実施例にもとずき図面を参照して説明すると、図１は本発明の水道水や井戸水等の配管の流水を使用して太陽光線を日陰室内等に導入するシステムの本体の断面図であり、図２はそれに連結して太陽光線を日陰室内等に誘導する光線誘導管の断面図である。


【手続補正３】
【補正対象書類名】明細書
【補正対象項目名】００２２
【補正方法】変更
【補正の内容】
【００２２】
また本発明システムは、従来からの住宅の屋根面上等に設置されている平面的で太陽光線の熱線の蓄積を重視した太陽光温水器等とは異なり、システム本体の受光面より受け入れた太陽光線を刻々光の速度で光線誘導管を介し日陰室内等に送致・放出するもので、システム内の流水の温度上昇が極力抑制されているのも特徴とするところである。


【手続補正４】
【補正対象書類名】明細書
【補正対象項目名】図１
【補正方法】変更
【補正の内容】
【図１】本発明の水道水や井戸水等の配管の流水を使用して太陽光線を日陰室内等に導入するシステムの実施例の太陽に向うよう設置したシステム本体の側面断面図である。